(57)【特許請求の範囲】
【請求項１】
建物等の天井側に取り付けられ、内部に換気用ファンを有し、ダクトを配して室内外を連通する換気扇本体と、この換気扇本体の室内側天井に開口する吸気口に下方から矩形枠状の化粧枠を着脱可能に取付けた換気扇であって、前記化粧枠の裏面ほぼ中央に形成された保持部と、この保持部に基端側が固定されるとともに先端側が前記保持部から突出して下面に張り出し部を有する矢尻状部分とを有する取付金具を設け、前記換気扇本体の前記吸気口のほぼ中央に配置した２本の縦長な腕部とこれらの下端を連結する環状部とを有する捩りコイルばねからなるばね部材の前記腕部を前記換気扇本体の換気用ファンを覆うファンケーシングの下方に跨る横長な支持部材に支持させ、前記取付金具の矢尻状部分を前記ばね部材の環状部に挿入することで前記ばね部材の拡がり力により、前記化粧枠を前記吸気口に上向きの付勢力をもって固定する構造としたものにおいて、この矢尻状部分の先端が向く方向または前記ばね部材の拡がり力の方向を、前記化粧枠の一辺に対して水平面上でほぼ４５°の傾斜角度をもつ方向とすることで前記換気扇本体と前記化粧枠との位置関係を水平面上で少なくとも９０°回転させた時にも前記取付金具の矢尻状部分を前記ばね部材の環状部に対して挿入可能とし、この回転により前記室内天井面に沿う前記化粧板の向きを縦横に変更可能な構造としたことを特徴とする換気扇。
【発明の詳細な説明】
【０００１】
【発明の属する技術分野】
本発明は建物等の天井側に設けられる換気扇に係り、特に吸気口に取付られる化粧枠の天井面に沿う向きを容易に調整し得る構成とした換気扇に関する。
【０００２】
【従来の技術】
従来、建物等の天井側に換気用ファンを有するダクトを配して室内外を連通し、室内側天井に開口する吸気口に化粧枠を着脱可能に取付けた換気扇が多用されている。そして、近年では化粧枠の取付け部品の簡素化、設置作業および設置後の清掃時等の着脱容易化等を図るため、化粧枠の裏面ほぼ中央位置に取付金具を設け、この取付金具を吸気口のほぼ中央に配置したばね部材の環状部に挿通して着脱可能に掛止し、これにより化粧枠を吸気口に上向きの付勢力で固定する簡易な構造が採用されている（例えば特開平７−２３９１４３号公報等）。
【０００３】
このような従来の化粧枠の取付構造においては、吸気口に配置されるファンケーシングの下部等に架設されたブリッジと称される横長な支持部材に２本の腕部を有する捩りコイルばね等のばね部材を支持させ、このばね部材の中央下部の環状部に化粧枠の裏面に設けられた取付金具を挿入する構造となっている。そして、ばね部材の２本の腕部の拡がり力によって化粧枠を換気扇本体側へ引き寄せ、その上向きの付勢力によって換気扇本体の開口部を覆う位置に化粧枠を固定させている。
【０００４】
【発明が解決しようとする課題】
ところで、吸気口の開口面は例えば矩形状とされる場合が多く、これに対応して化粧枠も矩形枠状とされている。そして、化粧枠には吸気口と対面する面、すなわち天井と平行な面に、通気開口として複数のスリットが互いに間隔をあけて並列に設けられるのが通例である。このような化粧枠の場合、天井の模様の方向と化粧枠の表面（下面）側に表れるスリットの方向とが同一方向を向くように取付けられることが、室内装飾等の面から望まれることが多い。
【０００５】
しかしながら、上述した従来の構成では、殆どの場合、ばね部材の２本の腕部の伸びる方向が矩形状の吸気口の一辺と平行に配置されるとともに、当該ばね部材の腕部と直交する環状部の中心線は他方の一辺と平行に配置されている。また、化粧枠の中央位置に設けられる取付金具についても、ばね部材の環状部への挿入部軸線が、化粧枠の一辺と平行に配置されている。
【０００６】
そして、これらの配置関係はほぼ固定的であるため、一旦ファンケーシング等を建物に固定設置した後では、ファンケーシング等に保持されるばね部材に対応して化粧枠の向きも固定されてしまい、向きを変えることができない。また、建物の構造上、既にダクトの方向が決まっている場合においては、ファンケーシング等を化粧枠の向きを考慮して設置できない場合もある。
【０００７】
本発明は、上記事情を考慮してなされたもので、ファンケーシング等を設置した後においても、化粧枠の天井面に沿う向きを縦横方向に自由に変えることができ、しかもばね部材による化粧枠の簡易な支持構造の利点を維持することができる換気扇を提供することを目的とする。
【０００８】
【課題を解決するための手段】
前記の目的を達成するため、請求項１に係る発明では、建物等の天井側に取り付けられ、内部に換気用ファンを有し、ダクトを配して室内外を連通する換気扇本体と、この換気扇本体の室内側天井に開口する吸気口に下方から矩形枠状の化粧枠を着脱可能に取付けた換気扇であって、前記化粧枠の裏面ほぼ中央に形成された保持部と、この保持部に基端側が固定されるとともに先端側が前記保持部から突出して下面に張り出し部を有する矢尻状部分とを有する取付金具を設け、前記換気扇本体の前記吸気口のほぼ中央に配置した２本の縦長な腕部とこれらの下端を連結する環状部とを有する捩りコイルばねからなるばね部材の前記腕部を前記換気扇本体の換気用ファンを覆うファンケーシングの下方に跨る横長な支持部材に支持させ、前記取付金具の矢尻状部分を前記ばね部材の環状部に挿入することで前記ばね部材の拡がり力により、前記化粧枠を前記吸気口に上向きの付勢力をもって固定する構造としたものにおいて、この矢尻状部分の先端が向く方向または前記ばね部材の拡がり力の方向を、前記化粧枠の一辺に対して水平面上でほぼ４５°の傾斜角度をもつ方向とすることで前記換気扇本体と前記化粧枠との位置関係を水平面上で少なくとも９０°回転させた時にも前記取付金具の矢尻状部分を前記ばね部材の環状部に対して挿入可能とし、この回転により前記室内天井面に沿う前記化粧板の向きを縦横に変更可能な構造としたことを特徴とする換気扇を提供する。
【００１３】
【発明の実施の形態】
以下、本発明の実施形態について、図面を参照して説明する。
【００１４】
まず、図１〜図５によって一実施形態を説明する。図１は本発明の一実施形態による換気扇の化粧枠を示す斜視図であり、図２は換気扇の全体構造を一部断面として示す全体側面図である。図３は化粧枠の吸気口への取付け状態を示す斜視図である。図４は化粧枠を取付けた状態を下方から見上げた説明図であり、図５は図４の状態から化粧板の向きを水平面上で９０°変化させた状態を示す説明図である。
【００１５】
図２に示すように、本実施形態の換気扇１は、建物内の隣り合う２つの部屋、例えばバスルーム２およびトイレ３の天井板４，５に、それぞれ吸気口６，７を設け、これらの吸気口６，７を天井裏８に配置された共通なダクト９によって建物外方に連通させた構成とされている。ダクト９には、強制換気用のファンを有する換気扇本体１０が設けられ、この換気扇本体１０がバスルーム２の吸気口６の部位に配置されている。
【００１６】
そして、各天井板４，５の吸気口６，７を囲む部位には、それぞれ化粧枠取付用フランジ１１，１２が各天井板４，５に沿って水平に設けられ、これらのフランジ１１，１２には室内側（下方）から化粧枠１３，１４が着脱可能に取付け保持されている。
【００１７】
図３は、この換気扇本体１０が配置されたバスルーム２の吸気口６部位を示している。この図３に示すように、吸気口６の開口面は矩形状であり、この吸気口６内に本体ケース１５、ファン１６およびファンケーシング１７が配置され、このファンケーシング１７の下面に、ばね部材取付け用の支持部材（ブリッジ）１８が架設されている。
【００１８】
支持部材１８は、ファンケーシング１７の下方に跨る横長な構成を有し、ねじりコイルばね等からなるばね部材１９を着脱可能に支持している。すなわち、ばね部材は、２本の腕部１９ａ，１９ａと巻回数が１〜数回の環状部１９ｂとを有するものであり、環状部１９ｂは、各腕部１９ａの下端から垂直に垂下し、各腕部１９ａの長さ方向に対して軸心が直交する状態で巻回されている。また、各腕部１９ａ，１９ａの端末部にはそれぞれ円弧状の引掛部１９ｃ，１９ｃが折曲形成されている。そして、図３に示すように、ばね部材１９の各腕部１９ａが支持部材１８の下面に形成した溝に嵌合され、長さ方向に沿ってスライドできるようになっている。このばね部材１９が引き下げられると、各腕部１９ａが狭まって環状部１９ｂが下方に移動し、逆に引き上げられると、各腕部１９ａが拡がり、環状部１９ｂが上昇し、その拡がり力によって自ら上昇する付勢力を発生し、それにより環状部１９ｂが吸気口６内に引き上げられる。
【００１９】
本実施形態では、このような構成のばね部材１９の各腕部１９ａおよび支持部材１８が、矩形状をなす吸気口６の一辺と平行な配置とされており、また天井４の模様（例えば木目模様）の方向ａに対しては、これと直行する方向ｂに沿う配置とされている。
【００２０】
化粧枠１３は、図１および図３に示すように、吸気口６に対応して矩形枠状とされている。この化粧枠１３には吸気口６と対面する面、すなわち天井と平行な面に、通気開口として一方向に向く複数のスリット２０が、互いに間隔をあけて並列に設けられている。すなわち、この複数のスリット２０により、例えば縞模様が想定されものであり、このような化粧枠１３については、天井の模様の方向ａと化粧枠の表面（下面）側に表れるスリットの方向ｃとは、互いに同一方向を向くように取付けられることが、室内装飾等の面から望まれると想定される。
【００２１】
そして、本実施形態の化粧枠１３の裏面ほぼ中央位置には、上述したばね部材１９の環状部１９ｂ内に挿通してこの化粧枠１３を吸気口６に取付けるための取付金具２１が設けられている。この取付金具２１は、化粧枠１３の一辺に対して水平面上で一定の傾斜角度、例えば４５°の傾斜角度をもって配置されている。すなわち、この取付金具２１は、例えば縦板からなる矢尻状のものであり、少なくとも先端下面に張り出し部を有している。この取付金具２１が、化粧枠１３と一体形成された門型の保持部２２に加圧嵌合、もしくは螺合等によって固定されている。そして、この取付金具２１の長さ方向（矢尻状の先端が向く方向）が、化粧枠１３の一辺に対し、取付状態である水平面上で４５°の傾斜角度をもって配置されている。
【００２２】
このような化粧枠２１を吸気口６に取付ける場合には、化粧枠２１の裏面中央に配置した取付金具２１の先端を、吸気口６の中心位置に配置されているばね部材１９の環状部１９ｂの孔に貫通させ、矢尻状先端により掛止させる。そして、化粧枠２１を押上げることにより、ばね部材１９の上述した上向き付勢力によって天井面側に固定することができる。
【００２３】
図４および図５は、このようにして化粧枠１３を取付けた場合における、吸気口６の下方から見た２態様を示したものである。これらの図に示したように、化粧枠１３の中央に配置した取付金具２１は、ばね部材１９の環状部１９ｂに対して交差角度θが４５°で貫通され、確実に掛止された状態となる。
【００２４】
この場合、天井４の模様の方向ａが例えば横方向であると、図４に示したように、取付金具２１は環状部１９ｂに対して図示の下方から上向きに挿入することで、スリット２０の方向ｃを天井４の模様の方向ａと一致させることができる。
【００２５】
また、図５に示したように、天井４の模様の方向ａが例えば縦方向である場合には、化粧枠１３を図４の配置から９０°回転させ、取付金具２１を環状部１９ｂに対して図示の上方から下向きに挿入する。これにより、天井４の模様の方向ａが縦方向である場合にも、化粧枠１３のスリット２０の方向ｃを、天井４の模様の方向ａと一致させることができる。
【００２６】
このように、本実施形態の換気扇によれば、化粧板１３のスリット２０の向きについての縦横２態様の取付けが、ばね部材１９およびその支持部材１８、ひいては換気扇本体１０を同一方向に設置した状態においても、任意に選択することができる。これにより、建物建築等の際には、各種事情に拘らず、予めダクト９および吸気口６等の向きを任意に設定することができ、その場合においても、後に化粧板１３を望ましい向きに配置することができる。
【００２７】
したがって、従来構造のもとで生じていたような、ダクト方向決定後に化粧枠の向きも固定されたり、向き変更が不可となる事態について、容易かつ確実に回避することができる。しかも、ばね部材１９を用いた化粧枠１３の簡易な支持構造の利点を失うことなく、比較的簡単な構成で確実に化粧板１３の向き変更等を達成できるようになる。
【００２８】
なお、本実施形態では、取付金具２１を化粧枠１３の一辺に対し、水平面上で４５°の傾斜角度をもって配置したが、必ずしもこの角度に限られない。
【００２９】
すなわち、取付金具２１の長さ、ばね部材１９の環状部１９ｂの径や幅等に応じ、適宜の角度とすることが可能である。要するに、取付金具２１をばね部材１９の環状部１９ｂに対して水平面上で少なくとも９０°回転可能とし、この回転により室内天井面に沿う化粧板１３の向きを縦横に変更可能な構造とすればよい。
【００３０】
図６および図７は、本発明の他の実施形態を示したものである。
【００３１】
これらの図は前記一実施形態における図４および図５に対応するものであり、図６は化粧枠を天井に沿う一方向に向けて取付けた状態を下方から見上げた説明図である。図７は図６の状態から化粧板の向きを水平面上で、９０°変化させた状態を示す説明図である。
【００３２】
この他の実施形態では、吸気口の開口面が矩形状である場合において、ばね部材の環状部の中心線を吸気口の一辺に対して一定の傾斜角度をもって配置することにより、一実施形態と同様の機能を得ることができるようにしたものである。
【００３３】
すなわち、この他の実施形態では、ばね部材１９の環状部１９ｂの中心線の方向ｄを、吸気口６の一辺に対して４５°の傾斜角度をもって配置したものである。そして、化粧板１３の取付金具２１については、ばね部材１９の環状部１９ｂに対して水平面上で少なくとも９０°回転可能とし、この回転により室内天井面に沿う化粧板１３の向きを縦横に変更可能な構造としてある。
【００３４】
このような構成によると、図６に示したように、天井４の模様の方向ａが例えば横方向である場合、４５°傾斜している環状部１９ｂに対して、取付金具２１を図示の下方から上向きに挿入することにより、スリット２０の方向ｃを天井４の模様の方向ａと一致させることができる。
【００３５】
また、図７に示したように、天井４の模様の方向ａが例えば縦方向である場合には、化粧枠１３を図６の配置から９０°回転させ、取付金具２１を環状部１９ｂに対して図示の横方向に沿って挿入する。これにより、天井４の模様の方向ａが縦方向である場合にも、化粧枠１３のスリット２０の方向ｃを、天井４の模様の方向ａと一致させることができる。
【００３６】
【発明の効果】
以上のように、本発明によれば、化粧枠の取付金具を挿入する向きを変えるだけで、化粧枠を９０°回転させた状態でも取付け可能とすることができる。すなわち、ファンケーシング等を設置した後においても、化粧枠の天井面に沿う向きを縦横方向に自由に変えることができ、しかも、ばね部材による化粧枠の簡易な支持構造の利点を維持することができる。
【図面の簡単な説明】
【図１】本発明の一実施形態による換気扇の化粧枠を示す斜視図。
【図２】前記実施形態における換気扇の全体側面図。
【図３】前記実施形態における化粧枠の取付状態を示す斜視図。
【図４】前記実施形態における使用状態説明図。
【図５】図４の状態から９０°回転させた使用状態説明図。
【図６】本発明の他の実施形態における使用状態説明図。
【図７】図６の状態から９０°回転させた使用状態説明図。
【符号の説明】
１  換気扇
２  バスルーム
３  トイレ
４，５  天井板
６，７  吸気口
８  天井裏
９  ダクト
１０  換気扇本体
１１，１２  フランジ
１３，１４  化粧枠
１５  本体ケース
１６  ファン
１７  ファンケーシング
１８  支持部材（ブリッジ）
１９  ばね部材
１９ａ，１９ａ  腕部
１９ｂ  環状部
２０  スリット
２１  取付金具
２２  保持部
【図１】
0004147288.tif 000002
【図２】
0004147288.tif 000003
【図３】
0004147288.tif 000004
【図４】
0004147288.tif 000005
【図５】
0004147288.tif 000006
【図６】
0004147288.tif 000007
【図７】
0004147288.tif 000008